【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】  混合デバイス（１；１０１）が混合容器（７；１０７）を含み、そして少なくとも一つの入口ポート（８、９；１０８、１０９、１１０）および出口ポート（１１；１１１）を有する、複数の材料を混合する混合デバイス（１；１０１）；
混合デバイス（１；１０１）の出口ポート（１１；１１１）に接続した供給ライン（１９；１１９）；
供給ライン（１９；１１９）における少なくとも一つのポイントで、使用時に供給ライン（１９；１１９）を通る混合材料の組成をオンライン測定する少なくとも一つの測定装置（２３、２５、２７；１２３、１２５、１２７）；および
必要な均質性を持たないと測定された、使用時に供給ライン（１９；１１９）を通過している混合材料を、供給ライン（１９；１１９）内の少なくとも一つのポイントから選択的に逸らせる少なくとも一つの流れ偏向機構
を包含する、必要な均質性を有する混合物を供給するための混合装置。
【請求項２】  請求項１の装置において、少なくとも一つの測定装置（２３、２５、２７；１２３、１２５、１２７）が、供給ライン（１９；１１９）内の複数のポイントで、使用時に供給ライン（１９；１１９）を通過する混合材料の組成をオンライン測定するように配置された装置。
【請求項３】  請求項１の装置において、供給ライン（１９；１１９）内の複数のポイントで、使用時に供給ライン（１９；１１９）を通過する混合材料の組成をオンライン測定する複数の測定装置（２３、２５、２７；１２３、１２５、１２７）を包含することを特徴とする装置。
【請求項４】  請求項１〜３のいずれかの装置において、一つの測定ポイントが、供給ライン（１９；１１９）の入口端にあることを特徴とする装置。
【請求項５】  請求項１〜３のいずれかの装置において、一つの測定ポイントが、供給ライン（１９；１１９）の出口端にあることを特徴とする装置。
【請求項６】  請求項２または３の装置において、一つの測定ポイントが、供給ライン（１９；１１９）の入口端にあり、別の測定ポイントが、供給ライン（１９；１１９）の出口端にあることを特徴とする装置。
【請求項７】  請求項６の装置において、少なくとも一つの偏向ポイントが、最上流
側の測定ポイントの下流側にあることを特徴とする装置。
【請求項８】  請求項６または７の装置において、必要な均質性を持たないと測定された、使用時に供給ライン（１９；１１９）を通過している混合材料を、供給ライン（１９；１１９）の複数のポイントのうち一つまたはそれ以上のポイントから選択的に逸らす複数の流れ偏向機構を包含することを特徴とする装置。
【請求項９】  請求項２または３に従属したときの請求項８の装置において、各偏向ポイントが、それぞれの測定ポイントの下流側にあることを特徴とする装置。
【請求項１０】  請求項６〜９のいずれかの装置において、各流れ偏向機構が、供給ライン（１９；１１９）内に配置された弁（２９、３１、３３；１２９、１３１、１３３）を包含し、この弁（２９、３１、３３；１２９、１３１、１３３）が、入口ポート（２９ａ、３１ａ、３３ａ；１２９ａ、1３１ａ、1３３ａ）、および、供給ライン（１９；１１９）において接続した第１の出口ポート（２９ｂ、３１ｂ、３３ｂ；１２９ｂ、1３１ｂ、1３３ｂ）、および、必要な均質性を持たないと測定された混合材料を、使用時に、逸らす第２の出口ポート（２９ｃ、３１ｃ、３３ｃ；1２９ｃ、1３１ｃ、1３３ｃ）を包含することを特徴とする装置。
【請求項１１】  請求項６〜１０のいずれかの装置において、さらに、必要な均質性を持たないと測定された混合材料を、使用時に、そこに逸らす転送ライン（３５；１３５）を包含することを特徴とする装置。
【請求項１２】  請求項１１の装置において、転送ライン（３５；１３５）の少なくとも一部が、そこへ逸らされた混合材料がそこを通る重力流によって流れることができるように構成してあることを特徴とする装置。
【請求項１３】  請求項１０に従属したときの請求項１１または１２の装置において、各弁（２９、３１、３３；１２９，１３１，１３３）の第２の出口ポート（２９ｃ、３１ｃ、３３ｃ；1２９ｃ、1３１ｃ、1３３ｃ）が、転送ライン（３５；１３５）に接続してあることを特徴とする装置。
【請求項１４】  請求項１〜１３のいずれかの装置において、さらに、混合材料を、供給ライン（１９；１１９）を通して流動させる流れ制御機構を包含することを特徴とする装置。
【請求項１５】  請求項１４の装置において、流れ制御機構が、供給ライン（１９；１１９）を通して混合材料を送る送り機構（２１；１２１）であることを特徴とする装置。
【請求項１６】  請求項１４の装置において、供給ライン（１９；１１９）が、そこを通る重力流によって混合材料を流動させることができるように構成してあり、流れ制御機構が、供給ライン（１９；１１９）を通して混合材料を選択的に流動させ得る弁（６３；１６３）であることを特徴とする装置。
【請求項１７】  請求項１６の装置において、供給ライン（１９；１１９）が、ほぼ垂直方向に向いていることを特徴とする装置。
【請求項１８】  請求項１〜１７のいずれかの装置において、さらに、混合デバイス（１０１）の混合容器（１０７）で混合すべき材料を別々に収容する複数の供給源容器（１０３、１０５）、および、混合すべき材料の混合物を収容する別の供給源容器（１０６）とを包含し、これらの供給源容器（１０３、１０５、１０６）が、それぞれの送りライン（１１２、１１４、１１６）によって混合デバイス（１０１）の少なくとも一つの入口ポート（１０８、１０９、１１０）に接続してあり、送りラインの各々が、混合すべきそれぞれの材料および混合すべき材料の混合物の単位時間当たりの量を混合デバイス（１０１）に計量給送するように作動可能な流れ制御機構を包含していることを特徴とする装置。
【請求項１９】  請求項１８の装置において、さらに、別の供給源容器（１０６）に接続した送りライン（１１６）を使用時に通過している混合材料の組成を測定するための、別の供給源容器（１０６）に接続した送りライン（１１６）内に設けた別の測定装置（１１８）を包含することを特徴とする装置。
【請求項２０】  請求項１〜１９のいずれかの装置において、少なくとも一つの測定装置（２３、２５、２７；１１８、１２３、１２５、１２７）のうちの少なくとも一つが、分光器式測定装置であることを特徴とする装置。
【請求項２１】  請求項２０の装置において、分光器式測定装置が、反射装置、トランスフレクタンス装置または透過装置のうちの一つであることを特徴とする装置。
【請求項２２】  請求項２０または２１の装置において、分光器式測定装置が、赤外分光光度計であることを特徴とする装置。
【請求項２３】  請求項２０または２１の装置において、分光器式測定装置が、近赤外分光光度計であることを特徴とする装置。
【請求項２４】  請求項２０または２１の装置において、分光器式測定装置が、Ｘ線分光光度計であることを特徴とする装置。
【請求項２５】  請求項２０または２１の装置において、分光器式測定装置が、可視光分光光度計であることを特徴とする装置。
【請求項２６】  請求項２０または２１の装置において、分光器式測定装置が、ラマン分光光度計であることを特徴とする装置。
【請求項２７】  請求項２０または２１の装置において、分光器式測定装置が、マイクロ波分光光度計であることを特徴とする装置。
【請求項２８】  請求項２０または２１の装置において、分光器式測定装置が、核磁気共鳴分光光度計であることを特徴とする装置。
【請求項２９】  請求項１〜１９のいずれかの装置において、測定装置（２３、２５、２７；１１８、１２３、１２５、１２７）のうち少なくとも一つが、偏光計であることを特徴とする装置。
【請求項３０】  請求項１〜２９のいずれかの装置において、混合デバイス（１；１０１）の混合容器（７；１０７）が非回転容器であることを特徴とする装置。
【請求項３１】  請求項１〜３０のいずれかの装置において、混合デバイス（１；１０１）が、連続ミキサであることを特徴とする装置。
【請求項３２】  請求項１〜３０のいずれかの装置において、混合デバイス（１；１０１）が、バッチ・ミキサであることを特徴とする装置。
【請求項３３】  混合デバイス（１；１０１）の混合容器（７；１０７）に混合すべき複数の材料を導入する段階；
混合容器（７；１０７）内で複数の材料を混合する段階；
混合デバイス（１；１０１）の出口ポート（１１；１１１）から供給ライン（１９；１１９）を通して混合材料を供給する段階；
供給ライン（１９；１１９）内の少なくとも一つのポイントで供給ライン（１９；１１９）を通過している混合材料の組成をオンライン測定する段階；そして
供給ライン（１９；１１９）内の少なくとも一つのポイントから、必要な均質性を持たないと測定された、供給ライン（１９；１１９）を通過している混合材料を逸らす段階；を包含する、必要な均質性を有する混合物を供給する方法。
【請求項３４】  請求項３３の方法において、供給ライン（１９：１１９）内の複数のポイントで、供給ライン（１９；１１９）を通過している混合材料の組成をオンライン測定する段階を包含することを特徴とする方法。
【請求項３５】  請求項３３または３４の方法において、一つの測定ポイントが、供給ライン（１９；１１９）の入口端にあることを特徴とする方法。
【請求項３６】  請求項３３または３４の方法において、一つの測定ポイントが、供給ライン（１９；１１９）の出口端にあることを特徴とする方法。
【請求項３７】  請求項３４の方法において、一つの測定ポイントが、供給ライン（１９；１１９）の入口端にあり、そして、別の測定ポイントが、供給ライン（１９；１１９）の出口端にあることを特徴とする方法。
【請求項３８】  請求項３７の方法において、少なくとも一つの偏向ポイントが、最上流側の測定ポイントの下流側にあることを特徴とする方法。
【請求項３９】  請求項３７または３８の方法において、供給ライン（１９；１１９）内の複数のポイントのうち一つまたはそれ以上から、必要な均質性を持たないと測定された、供給ライン（１９；１１９）を通過している混合材料を選択的に逸らす段階を包含することを特徴とする方法。
【請求項４０】  請求項３９の方法において、各偏向ポイントが、それぞれの測定ポイントの下流側にあることを特徴とする方法。
【請求項４１】  請求項３３〜４０のいずれかの方法において、混合すべき材料を、混合容器（７；１０７）に連続的に導入することを特徴とする方法。
【請求項４２】  請求項３７〜４０のいずれかに従属するときの請求項４１の方法において、さらに、供給ライン（１１９）から逸らされた混合材料を別の容器（１０６）へ転送する段階を包含することを特徴とする方法。
【請求項４３】  請求項４２の方法において、混合デバイス（１０１）の混合容器（１０７）に混合すべき材料を導入する段階が、別の容器（１０６）からの混合材料およびそれぞれの混合すべき材料の量を、混合デバイス（１０１）に対する単位時間につき選択的に計量する段階を包含し、さらに、別の容器（１０６）から計量した混合材料の組成をオンライン測定し、混合すべきそれぞれの材料の量を、別の容器（１０６）から計量した混合材料に加えて混合デバイス（１０１）に別々に選択的に計量分配して必要な組成を達成することができるようにする段階を包含することを特徴とする方法。
【請求項４４】  請求項３３〜４０のいずれかの方法において、混合すべき材料を、混合デバイス（１；１０１）の混合容器（７；１０７）にバッチ導入することを特徴とする方法。
【請求項４５】  請求項３３〜４４のいずれかの方法において、混合デバイス（１；１０１）の混合容器（７；１０７）が、非回転容器であることを特徴とする方法。